【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
コンテンツを検出し、当該コンテンツを地理情報に関連付けるためのシステムであって、
ａ．コンテンツの項目を受信するよう構成された検出器と、
ｂ．前記コンテンツの項目に関する地理ロケーションに対応する情報を受信するよう構成された検出器と、
ｃ．前記コンテンツの項目を前記地理ロケーション情報に関連付けるよう構成された相関モジュールと、
ｄ．前記関連付けられたコンテンツの項目及び地理ロケーション情報をネットワーク上のリモートシステムに送信するよう構成されたアップロードコンポーネントと、
を含むシステム。
【請求項２】
前記コンテンツ検出器が、ビデオカメラ、スチールカメラ、又はマイクロフォンである、請求項１に記載のシステム。
【請求項３】
前記地理ロケーション情報検出器が、ＧＰＳ受信機又は携帯電話三角測量無線ベースのシステムである、
請求項１に記載のシステム。
【請求項４】
前記相関モジュールが、前記コンテンツの項目をメタタグ又はメタデータを使用して前記地理ロケーション情報に関連付ける、
請求項１に記載のシステム。
【請求項５】
コンテンツの項目を前記コンテンツの項目に関する地理情報に関連付けるための方法であって、
ａ．デバイスにおいてコンテンツの項目を受信する段階と、
ｂ．前記コンテンツの項目に関する地理ロケーション情報を前記デバイスにおいて受信する段階と、
ｃ．前記コンテンツの項目を前記地理ロケーション情報に関連付ける段階と、
ｄ．前記関連付けられたコンテンツの項目及び地理ロケーション情報をネットワーク上のリモートシステムにアップロードする段階と、
を含む方法。
【請求項６】
前記デバイスが、ビデオカメラ、スチールカメラ、又はマイクロフォンである、
請求項５に記載の方法。
【請求項７】
前記地理ロケーション情報を受信する段階が、ＧＰＳ受信機又は携帯電話三角測量無線ベースのシステムを使用して行われる、
請求項５に記載の方法。
【請求項８】
前記関連付け段階が、前記地理ロケーション情報を包含するメタタグ又はメタデータを前記コンテンツの項目に関連付けられたファイルに帰属させることによって行われる、
請求項５に記載の方法。
【請求項９】
前記関連付け段階が、コンテンツの項目が記憶される毎、定期的、又はこれらの組合せから成るグループから選択される方式で自動的に行われる、
請求項５に記載の方法。
【請求項１０】
前記アップロード段階が、コンテンツの項目が記憶される毎、ネットワーク接続が設定される毎、定期的、或いは前記の組合せから成るグループから選択される方式で自動的に行われる、
請求項５に記載の方法。
【請求項１１】
請求項５の方法をコンピュータに実行させるための命令を包含するコンピュータ可読媒体。
【請求項１２】
ディスプレイ及び選択デバイスを含むグラフィカルユーザインターフェースを有するコンピュータシステムにおいて、前記ディスプレイ上の関係付けられた地理ロケーション情報を有するコンテンツ項目を編成及び表示するメニューから提供及び選択する方法であって、
ａ．各々が地理ロケーションを表すメニューエントリのセットを前記メニューに対して検索する段階と、
ｂ．前記メニューエントリのセットを前記ディスプレイ上に表示する段階と、
ｃ．前記選択デバイスが前記メニューエントリのセットから選択されたメニューエントリをポイントしていることを示すメニューエントリ選択信号を受信する段階と、
ｄ．前記信号に応答して、前記地理ロケーションに対応するコンテンツ項目のセットを表示する段階と、
ｅ．前記選択デバイスが前記コンテンツ項目のセットから選択されたコンテンツ項目をポイントしていることを示すコンテンツ項目選択信号を受信する段階と、
ｆ．前記信号に応答して、前記選択されたコンテンツ項目をレンダリングする段階と、
を含む方法。
【請求項１３】
前記グラフィカルユーザインターフェースが、ビデオカメラ、コンピュータ、ウェブベースのブラウザから成るグループから選択されたシステムの一部を形成する、
請求項１２に記載の方法。
【請求項１４】
前記メニューエントリのセットを前記ディスプレイに表示する段階が、各メニューエントリがその地理ロケーションに対応するロケーションに配置された状態で、前記メニューエントリのセットをマップ上に表示する段階を含む、
請求項１２に記載の方法。
【請求項１５】
各メニューエントリが、前記対応する地理ロケーション近傍の都市又は州の名前と共に表示される、
請求項１４に記載の方法。
【請求項１６】
前記表示されたメニューエントリ間に矢印を表示する段階を更に含み、前記矢印が、前記メニューエントリのタイムシーケンスを示す、
請求項１４に記載の方法。
【請求項１７】
請求項１２の方法をコンピュータに実行させるための命令を包含するコンピュータ可読媒体。
【請求項１８】
ａ．少なくとも１人のメンバーを有する共有グループを作成する段階と、
ｂ．前記関連付けられたコンテンツの項目及び地理ロケーション情報をネットワーク上のリモートシステムにアップロードする段階と、
ｃ．前記アップロードされたコンテンツの項目について前記共有グループの各メンバーに通知する段階と、
を含む方法。
【請求項１９】
前記コンテンツの項目が、マップの上に重畳されたビデオとして表示される、
請求項１８に記載の方法。
【請求項２０】
ａ．前記共有グループのメンバーが、前記アップロードされたコンテンツの項目にアクセスを試みるときに、
ｉ．各々が地理ロケーションを表すエントリのセットを検索する段階と、
ｉｉ．前記エントリのセットをディスプレイ上に表示する段階と、
ｉｉｉ．前記選択デバイスが前記エントリのセットから選択されたエントリをポイントしていることを示すエントリ選択信号を受信する段階と、
ｉｖ．前記信号に応答して、前記地理ロケーションに対応するコンテンツ項目のセットを表示する段階と、
ｖ．前記選択デバイスが前記コンテンツ項目のセットから選択されたエントリをポイントしていることを示すエントリ選択信号を受信する段階と、
ｖｉ．前記信号に応答して、前記選択されたコンテンツ項目をレンダリングする段階と、
を含む請求項１８に記載の方法。
【手続補正２】
【補正対象書類名】明細書
【補正対象項目名】００１５
【補正方法】変更
【補正の内容】
【００１５】
更に別の態様では、本発明は、ディスプレイ及び選択デバイスを含むグラフィカルユーザインターフェースを有するコンピュータシステムにおいて、ディスプレイ上の関係のあるグラフィックロケーション情報を有するコンテンツ項目を編成及び表示するメニューから提供及び選択する方法を対象としている。本方法のステップは、各々が地理ロケーションを表すメニューエントリのセットをメニューに対して検索する段階と、ディスプレイ上にメニューエントリのセットを表示する段階と、選択デバイスがメニューエントリのセットからの選択されたメニューエントリをポイントしていることを示すメニューエントリ選択信号を受信する段階と、信号に応答して、地理ロケーションに対応するコンテンツ項目のセットを表示する段階と、選択デバイスがコンテンツ項目のセットからの選択されたコンテンツ項目を指すポイントしていることを示すコンテンツ項目選択信号を受信する段階と、信号に応答して、選択されたコンテンツ項目をレンダリングする段階とを含む。
【手続補正３】
【補正対象書類名】明細書
【補正対象項目名】００２１
【補正方法】変更
【補正の内容】
【００２１】
別の態様では、本発明は、少なくとも１人のメンバーを有する共有グループを作成する段階と、デバイスでコンテンツの項目を受信し、デバイスでコンテンツの項目に関する地理ロケーション情報を受信して、コンテンツの項目を地理ロケーション情報に関連付ける段階と、関連付けられたコンテンツの項目及び地理ロケーション情報をネットワーク上のリモートシステムにアップロードする段階と、アップロードされたコンテンツの項目について共有グループの各メンバーに通知する段階とを含む、コンテンツの項目をグループと共有する方法を対象としている。共有グループのメンバーが、アップロードされたコンテンツの項目にアクセスを試みるときには、本方法の更なる段階は、各々が地理ロケーションを表すエントリのセットを検索する段階と、ディスプレイ上にエントリのセットを表示する段階と、選択デバイスがエントリのセットから選択されたエントリをポイントしていることを示すエントリ選択信号を受信する段階を含む。更なる段階は、信号に応答して、地理ロケーションに対応するコンテンツ項目のセットを表示する段階と、選択デバイスがコンテンツ項目のセットから選択されたコンテンツ項目をポイントしていることを示すコンテンツ項目選択信号を受信する段階と、信号に応答して、選択されたコンテンツ項目をレンダリングする段階とを含む。